(57)【要約】【課題】利用者の使い勝手を損なわないようにしながら、特定画像を確実に検出できるように、原稿の読み取り動作を可能にする。【解決手段】原稿が原稿台に載置されたとき、特定画像を検出するための処理制限機能が有効か無効かを確認する。有効であれば、原稿カバーの開閉を確認する。原稿カバーが閉状態であると、原稿の画像を読み取る。読み取った画像から特定画像を検出すると、実行する処理を禁止する。原稿カバーが開状態であると、読み取りを禁止する。読み取り中、原稿カバーが開状態になると、読み取りを停止する。処理制限機能が無効であれば、原稿カバーの開閉に関係なく、原稿の画像を読み取る。【選択図】図３
2008085732.tif 000002
【特許請求の範囲】
【請求項１】
原稿を載置する原稿台と、原稿台を覆う開閉自在な原稿カバーと、原稿カバーの開閉を検出するカバー開閉検出部と、原稿の画像を読み取る読取部と、読取部から入力された画像データ中の特定画像の有無に応じて画像データの処理を制限する処理制限機能を実行する制御部とを備え、制御部は、処理制限機能が有効であるとき、原稿カバーが閉状態にあると、読取部の読み取り動作を許容し、処理制限機能が無効であるとき、原稿カバーの開閉に関係なく、読取部の読み取り動作を許容することを特徴とする画像読取装置。
【請求項２】
制御部は、処理制限機能が有効であるとき、原稿カバーが開状態にあると、読取部の読み取り動作を禁止することを特徴とする請求項１記載の画像読取装置。
【請求項３】
読取部の読み取り動作中に原稿カバーの開状態が検出されたとき、制御部は、読み取り動作を停止させることを特徴とする請求項１記載の画像読取装置。
【請求項４】
カバー開閉検出部は、読取部が連続した黒画像を読み取ったとき、原稿カバーが開状態であることを検出することを特徴とする請求項１または３記載の画像読取装置。
【請求項５】
制御部は、画像データ中に特定画像があったとき、読み取り動作を停止することを特徴とする請求項１記載の画像読取装置。
【請求項６】
入力された画像データを記憶する記憶部を備え、制御部は、画像データ中に特定画像があったとき、記憶された画像データを無効化することを特徴とする請求項５記載の画像読取装置。
【請求項７】
請求項１〜６のいずれかに記載の画像読取装置と、入力された画像データを処理する処理部と備え、入力された画像データ中に特定画像が検出されたとき、処理部による処理が停止されることを特徴とする画像処理装置。
【発明の詳細な説明】
【技術分野】
【０００１】
本発明は、コピー、ファクシミリ通信、データ送信等の処理を行う画像処理装置のために、原稿の画像を読み取る画像読取装置に関する。
【背景技術】
【０００２】
画像処理装置では、画像データを入力して、コピー、ファクシミリ通信、データ通信により出力する処理を実行する。画像データに特定画像が含まれていると、実行する処理が制限される。これにより、入力された画像データの不正使用を防げる。
【０００３】
ここで、画像読取装置は、原稿台に載置された原稿の画像を読み取って、画像データを入力する。原稿台には、開閉自在な原稿カバーが設けられ、原稿が原稿カバーに覆われる。ところで、原稿カバーが開状態のときに、原稿の読み取りを行うと、原稿が原稿台から浮いた状態となったり、読み取り時の光が原稿を透過してしまう。原稿に焦点が合わず、正常に画像を読み取ることができない。その結果、不鮮明な画像データや裏写りのある画像データが入力されることになる。これでは、特定画像を検出することができない、あるいは特定画像を誤検出してしまう。特定画像による処理を制限する機能を発揮させることができず、セキュリティ上問題である。特に、折れ曲った原稿、薄い原稿、両面原稿の場合、上記の現象が顕著に現れる。
【０００４】
特許文献１には、原稿カバーが開状態にあるとき、読み取り動作を禁止することが記載されている。原稿カバーが閉状態のときにのみ、読み取り動作が行われる。したがって、上記の現象は起こり得ない。
【特許文献１】特開昭６３−３０７４８４号公報
【発明の開示】
【発明が解決しようとする課題】
【０００５】
特定画像を含まない原稿として、例えば本や雑誌を原稿台に載置すると、原稿カバーを閉めることができない。この場合、読み取り動作が行われず、利用者にとっては、使い勝手が悪い。すなわち、原稿カバーの開閉状態だけで読み取り動作の可否を決めると、原稿を読み取れない状況が生じる。
【０００６】
そこで、本発明は、上記に鑑み、利用者の利便性を考慮しつつ、特定画像を確実に読み取ることができる画像読取装置の提供を目的とする。
【課題を解決するための手段】
【０００７】
本発明は、原稿を載置する原稿台と、原稿台を覆う開閉自在な原稿カバーと、原稿カバーの開閉を検出するカバー開閉検出部と、原稿の画像を読み取る読取部と、読取部から入力された画像データ中の特定画像の有無に応じて画像データの処理を制限する処理制限機能を実行する制御部とを備え、制御部は、処理制限機能が有効であるとき、原稿カバーが閉状態にあると、読取部の読み取り動作を許容し、原稿カバーが開状態にあると、読取部の読み取り動作を禁止し、処理制限機能が無効であるとき、原稿カバーの開閉に関係なく、読取部の読み取り動作を許容する。
【０００８】
処理制限機能が有効であるとき、特定画像を確実に検出しなければならない。そのため、原稿台に載置された原稿を読み取るとき、原稿カバーが閉じられるている必要がある。このとき、原稿の画像の読み取り動作が行われる。原稿カバーが開いていると、読み取り動作は行われない。
【０００９】
また、処理制限機能を無効にすれば、原稿カバーが開いていても、原稿の画像の読み取り動作が行われる。したがって、本のような厚い原稿であっても、読み取り動作が禁止されることはなく、利用者に不便をかけることはない。
【００１０】
読取部の読み取り動作中に原稿カバーの開状態が検出されたとき、制御部は、読み取り動作を停止させる。処理制限機能が有効であるので、読み取り動作中に原稿カバーが開けられると、正確に画像を読み取ることができなくなり、特定画像の検出精度が低下する。そのため、原稿カバーが開けられたことを検出すると、読み取り動作が停止して、特定画像の誤検出を防げる。
【００１１】
カバー開閉検出部は、読取部が連続した黒画像を読み取ったとき、原稿カバーが開状態であることを検出する。これにより、原稿の画像を読み取りながら、原稿カバーの開閉を検出できる。原稿カバーが閉状態であれば、そのまま次の処理に進むことができ、処理効率がよくなる。
【００１２】
処理制限機能が有効であるとき、制御部は、画像データ中に特定画像があったとき、読取部の読み取り動作を停止する。そして、入力された画像データを処理する処理部による処理が停止される。また、入力された画像データは、記憶部に記憶される。制御部は、画像データ中に特定画像があったとき、記憶された画像データを無効化する。このように、正確に特定画像の検出が可能なことによって、処理制限機能が実行され、画像データに対する処理を確実に制限できる。
【発明の効果】
【００１３】
本発明によると、特定画像を検出する必要があるときには、原稿カバーが閉じていることにより、原稿の画像の読み取り動作が可能となる。したがって、折れ曲った原稿、薄い原稿、両面原稿のように、画像を読み取りにくい原稿であっても、特定画像の検出精度を高めることができる。また、特定画像を検出する必要がないときには、原稿カバーの開閉に関係なく、原稿の画像の読み取り動作が行われる。したがって、利用者には何ら不都合が生じず、利便性を損なうことはない。
【発明を実施するための最良の形態】
【００１４】
本実施形態の画像読取装置を備えた画像処理装置を図１に示す。本画像処理装置は、コピーモード、プリントモード、スキャナモードおよびファクシミリモードを実行する複合機であり、キャビネット１に、原稿を読み取って画像データを入力する画像読取部２と、画像データを処理して印刷する画像形成部３と、画像データを記憶する記憶部４と、外部装置と通信する通信部５と、入力操作のための操作パネル６と、処理部を制御して、モードに応じた画像データの処理を実行する制御部７とを備えている。なお、処理部は、入力された画像データを出力するために処理するものであり、画像形成部３、記憶部４および通信部５とされる。
【００１５】
図２に示すように、画像読取部２は、キャビネット１の上方に配置され、原稿の画像を読み取る読取部であるスキャナ部１０と、原稿自動搬送部１１とを備えている。原稿自動搬送部１１は、スキャナ部１０の上方に設けられ、スキャナ部１０に対して原稿を自動的に搬送する。
【００１６】
キャビネット１の上面に、プラテンガラスからなる原稿台１２が設けられ、原稿台１２を覆う原稿カバー１３が設けられる。原稿自動搬送部１１は、原稿カバー１３に一体的に搭載される。原稿カバー１３は、開閉自在とされ、原稿カバー１３が閉状態のとき、原稿自動搬送部１１によって原稿が搬送される。原稿カバー１３が開状態のとき、原稿を原稿台１２に載置できる。
【００１７】
原稿カバー１３の開閉は、カバー開閉検出器１４により検出される。カバー開閉検出器１４は、マイクロスイッチ、光センサからなり、原稿カバー１３の開閉に応じてオンオフする。また、原稿台１２に載置された原稿のサイズを検出する原稿サイズ検出センサが設けられている。
【００１８】
原稿が原稿自動搬送部１１の原稿セットトレイ１５にセットされると、原稿検出センサ１６が原稿をセットされたことを検出する。そして、操作パネル６において、印刷するシートのサイズおよび変倍率等のコピー条件が入力される。その後、スタートキーの入力操作により、原稿の画像の読み取りが開始される。
【００１９】
原稿自動搬送部１１において、ピックアップローラ１７により原稿セットトレイ１５上の各原稿が１枚ずつ引き出される。原稿は、捌き板１８と搬送ローラ１９間を通って、原稿台１２に送り出される。原稿は、原稿台１２上で副走査方向に搬送され、原稿排出トレイ２０に排出される。原稿排出トレイ２０には、原稿排出センサが設けられ、原稿排出トレイ２０上の原稿の有無が検出される。
【００２０】
スキャナ部１０は、第１読取部２１および第２読取部２２を備えている。原稿台１２の一側に、読取領域が形成され、原稿が原稿台１２を搬送されるとき、読取領域を通過する。読取領域の下方には、第１読取部２１の第１走査ユニット２３が位置して、原稿の表面（下側面）が読み取られる。
【００２１】
原稿自動搬送部１１によって原稿が原稿台１２に搬送されるとき、第１走査ユニット２３は読取位置に移動して位置決めされ、第２走査ユニット２４も所定位置に位置決めされる。第１走査ユニット２３の露光ランプにより、原稿の表面が原稿台１２の下方から照射される。原稿からの反射光は、第１、第２走査ユニット２３、２４の各反射ミラーにより結像レンズ２５に導かれる。原稿の反射光は、結像レンズ２５によりＣＣＤ２６に集光される。原稿の表面の画像がＣＣＤ２６上に結像される。これにより、搬送される原稿の表面の画像が読み取られる。
【００２２】
また、第２読取部２２によって、原稿の裏面（上側面）が読み取られる。第２読取部２２は、原稿台１２の上方に配置され、原稿の裏面を照射するＬＥＤ、蛍光灯等を有する露光ランプアレイ、画素毎に原稿の反射光を集光するセルフォックレンズアレイ、セルフォックレンズアレイを通じて受光した原稿からの反射光を光電変換して、アナログの画像信号を出力する密着イメージセンサ（ＣＩＳ；Ｃｏｎｔａｃｔ  ｉｍａｇｅ  Ｓｅｎｓｏｒ）等を備えている。これにより、搬送される原稿の裏面の画像が読み取られる。
【００２３】
原稿台１２に原稿を載置したとき、第１読取部２１により原稿の表面の画像が読み取られる。第１、第２走査ユニット２３、２４は相互に所定の速度関係を維持しつつ副走査方向に移動する。第１走査ユニット２３によって、原稿台１２上の原稿が露光され、第１、第２走査ユニット２３、２４によって、原稿からの反射光が結像レンズ２５に導かれる。結像レンズ２５によって、原稿の画像がＣＣＤ２６上に結像される。
【００２４】
このようにして、原稿の片面もしくは両面の画像が読み取られると、原稿の片面もしくは両面の画像データが制御部７に入力される。制御部７は、画像データ処理部を有しており、画像データ処理部により、画像データに各種の画像処理を施す。この画像データが画像形成部３に出力される。
【００２５】
画像形成部３は、入力された画像データに基づいて、シートにカラー画像あるいは白黒画像を印刷する。画像形成部３は、レーザスキャンユニット３０、４つの画像ステーション３１、中間転写ベルトユニット３２、定着装置３３、搬送装置３４を備えている。
【００２６】
各画像ステーション３１は、ブラック、シアン、マゼンタ、イエローの各色に応じたカラー画像をそれぞれ形成する。各画像ステーション３１は、感光体ドラム３５、現像装置３６、帯電装置３７、クリーニング装置３８、除電装置（図示せず）を備えている。
【００２７】
感光体ドラム３５は、一方向に回転駆動され、クリーニング装置３８は、感光体ドラム３５の表面の残留トナーをクリーニングし、除電装置は、感光体ドラム３５の表面を除電する。帯電装置３７は、感光体ドラム３５の表面を均一に帯電する。
【００２８】
レーザスキャンユニット３０では、画像読取部等から入力された画像データに基づいてレーザ光を変調し、このレーザ光によって感光体ドラム３５の表面を主走査方向に繰り返し走査して、静電潜像を感光体ドラム３５の表面に形成する。現像装置３６は、トナーを感光体ドラム３５の表面に供給して、静電潜像を現像し、トナー像を感光体ドラム３５の表面に形成する。
【００２９】
中間転写ベルトユニット３２は、中間転写ベルト４０、中間転写ローラ４１、転写ベルトクリーニング装置４２、テンション機構４３を備えている。中間転写ベルト４１は、各感光体ドラム３５の上方に配置され、駆動ローラ４４および従動ローラ４５に掛け巻きされて、矢印Ｂの方向に回転する。
【００３０】
中間転写ローラ４１は、中間転写ベルト４０を挟んで感光体ドラム３５に対向して配置され、転写バイアス電圧が印加されている。トナーと逆極性の電圧が中間転写ローラ４１により印加されることにより、感光体ドラム３５の表面のトナー像が中間転写ベルト４０に転写される。各色のトナー像が中間転写ベルト４０に積層され、合成された多色のトナー像が形成される。
【００３１】
転写ローラ４１は中間転写ベルト４０に圧接されて配置され、トナーとは逆極性の電圧が印加されている。中間転写ベルト４０上のトナー像は、転写ローラ４６と中間転写ベルト４０との間に搬送されたシートに、転写ローラ４６によって転写される。転写ベルトクリーニング装置４２により、中間転写ベルト４０に残存しているトナーが除去される。
【００３２】
シートに転写されたトナー像は、定着装置３３により加熱および加圧されて、シート上に定着され、画像がシートに形成される。このようにして画像が印刷されたシートは、キャビネット１の上部に設けられた排出トレイ５０に排出される。
【００３３】
搬送装置３４は、シートカセット５１あるいは手差しトレイ５２からシートを搬送路５３に沿って搬送する。搬送路５３は、中間転写ベルト４０と転写ローラ４６との間、定着装置３３を通り、排出トレイ５０に至る。
【００３４】
搬送装置３４は、ピックアップローラ５４、搬送ローラ５５、レジストローラ５６、排出ローラ５７を備えている。シートカセット５１あるいは手差しトレイ５２のシートは、１枚ずつ搬送路５３に送り出され、搬送路５３を搬送されて、排出トレイ５０に排出される。このシートの搬送中に、画像がシートに印刷される。また、両面印刷のために、スイッチバック搬送路５８が設けられている。定着後のシートは、搬送ローラ５５によりスイッチバック搬送路５８を通り、中間転写ベルト４０と転写ローラ４６との間に搬送される。両面印刷されたシートは、定着装置３３を通り、排出トレイ５０に排出される。
【００３５】
操作パネル６は、スキャナ部１０に設けられ、操作部６０および表示部６１を有する。操作部６０は、各種の操作キーを備えている。表示部６１は、液晶ディスプレイからなり、タッチパネルとされる。表示部６１に表示される操作画面内にタッチキーが形成され、これらも操作キーとして機能する。
【００３６】
そして、通信部５は、通信インターフェースを備え、通信インターフェースがＬＡＮ、ＷＡＮといったネットワークに接続される。ネットワークには、複数の外部装置が接続されている。外部装置としては、他の画像処理装置、パーソナルコンピュータ等の情報処理装置、サーバとされる。ネットワークは、ルータから電話回線や光ファイバ等の通信回線を介してインターネットに接続される。通信部５は、外部装置とネットワークを通じて所定の通信プロトコルによって通信可能とされる。また、画像処理装置同士も通信可能とされる。なお、ネットワーク内での通信は有線でも無線でもよい。これらの画像処理装置および外部装置によって、画像処理システムが形成される。
【００３７】
また、通信部５は、モデム装置を備えている。モデム装置に電話回線が接続される。画像処理装置は、ファクシミリ通信を行える。なお、画像処理装置は、ネットワークを通じてインターネットファクシミリによるデータ通信も行える。さらに、通信部５は、通信端子や無線通信用の通信カードを備えている。通信端子には、ＵＳＢメモリ、ＩＣカード等の記憶媒体が接続され、通信部５は、記憶媒体との間でデータの送受信を行う。また、通信カードを通じて、携帯電話、ＰＤＡ等の通信端末と無線通信によるデータの送受信を行う。
【００３８】
記憶部４は、ハードディスク装置からなる。記憶部４は、画像読取部２から入力された画像データあるいは通信部５から入力された画像データを記憶する。なお、入力された画像データは、一旦ＤＲＡＭ等の画像メモリに保存され、画像処理や暗号化処理が施された後、画像メモリから記憶部４に転送される。また、記憶部４から画像データを読み出すとき、画像データは、画像処理や復号化処理され、画像メモリに保存される。その後、画像データは、実行される処理にしたがって、印刷、データ送信、ファクシミリ通信によって外部に出力される。
【００３９】
記憶部４は、管理テーブル６２を有し、管理テーブル６２には、画像処理装置の制御情報、設定情報、利用者の認証情報といった画像処理装置を動作させるために必要な情報が記憶される。これらの情報が作成、変更されると、管理テーブル６２の情報は更新される。なお、管理テーブル６２は、記憶部４とは別の不揮発性メモリに設けてもよい。
【００４０】
制御部７は、ＣＰＵ、ＲＯＭ、ＲＡＭを有するマイクロコンピュータからなり、ＣＰＵは、ＲＯＭに格納されている制御プログラムをＲＡＭに読み出して、制御プログラムを実行する。制御プログラムにしたがって、各部が動作する。画像データの入力があると、操作部６０からの入力情報や外部装置から入力された画像データのヘッダ情報に含まれる処理条件に基づいて、プリントモード、コピーモード、スキャナモード、ファクシミリモードのいずれかのモードが実行される。また、制御プログラムには、ブラウザやメールソフトが含まれ、制御部７は、ＴＣＰ／ＩＰプロトコル等の通信プロトコルにより外部装置とデータ通信したり、電子メールの送受信を行う。
【００４１】
制御部７は、各モードを行うとき、入力された画像データを記憶部４に一時的に保存する。また、制御部７は、入力された画像データを記憶部４に保存して管理するファイリングモードを実行する。保存された画像データは、指示された処理にしたがって再出力される。
【００４２】
出力された画像データは、制御部７からの指示により、記憶部４から消去される。この消去に際して、画像データにランダムなデータを上書きすることによって、画像データを復元できないように無効化する。この無効化処理、さらには暗号化処理および復号化処理を行うために、画像処理装置にセキュリティキットが搭載される。制御部７の指示によってセキュリティキットが動作することにより、画像データの不正使用を防止できる。
【００４３】
ここで、機密文書が不正にコピーされたり、ファクシミリ送信されるのを防ぐために、原稿に特定画像が付加される。特定画像は、例えば「コピー禁止」、「極秘」といった文字画像、所定のパターンの画像、文字とパターンを組み合わせた画像とされる。特定画像は、コピー禁止、印刷画質の低下、データ送信やファクシミリ通信の禁止、ファイリング禁止といった実行する処理に応じた規制情報を表している。
【００４４】
制御部７は、特定画像を合成した画像データを生成し、この画像データに基づいて印刷を行う。これによって、特定画像を含む原稿が形成される。特定画像は、人には視認し難い。しかし、画像読取部２により、特定画像を読み取ることができる。
【００４５】
そこで、入力された画像データに特定画像が含まれるかを判断する判断部６３が設けられている。画像データは、画像読取部２から入力されたものに限らず、通信部５を通じて外部装置あるいは記憶媒体や通信端末から入力される。
【００４６】
判断部６３は、制御部７により動作を制御され、入力された画像データと特定画像に対応する画像データとをパターンマッチングすることにより、特定画像を探し出す。特定画像に対応する画像データは、予め登録され、管理テーブル６２に記憶されている。
【００４７】
制御部７は、入力された画像データに特定画像が含まれていたとき、実行する処理を制限する。すなわち、制御部７は、コピーモードのときは、コピー禁止を指示し、ファクシミリモードやスキャナモードのときは、送信禁止を指示する。また、ファイリングモードのときは、記憶部４への画像データの保存禁止を指示する。
【００４８】
上記のように、制御部７は、画像データ中の特定画像の有無に応じて処理を制限する処理制限機能を実行する。処理制限機能の有効あるいは無効を設定することができる。有効であるときには、特定画像が検出され、処理が制限される。無効であるときには、特定画像の検出が行われない。特定の利用者が、この有効、無効の設定を行える。特定の利用者としては、予め登録された利用者である。利用者が、パスワード、生体認証情報等の認証情報を入力すると、制御部７は、管理テーブル６２に記憶されている認証情報に基づいて、特定の利用者であるかを判別する。
【００４９】
そして、特定の利用者は、操作パネル６の操作キーを操作して、処理制限機能の設定を行う。この設定において、有効と無効の切り替えが行われる。設定された情報は、管理テーブル６２に記憶される。
【００５０】
ところで、原稿を原稿台１２に載置した場合、特定画像を確実に検出できるようにするには、原稿カバー１３を閉状態にしておく必要がある。処理制限機能が有効であるとき、制御部７は、原稿カバー１３が閉状態にあると、画像読取部２の読み取り動作を許容し、原稿カバー１３が開状態にあると、画像読取部２の読み取り動作を禁止する。そして、処理制限機能が無効であるとき、制御部７は、原稿カバー１３の開閉に関係なく、画像読取部２の読み取り動作を許容する。
【００５１】
次に、原稿台１２に載置された原稿を読み取るときの動作を図３にしたがって説明する。利用者は、原稿を原稿台１２に載置して、操作キーを操作して、所望の処理を選択する。スタートキーが操作されると、制御部７は、処理制限機能が有効か無効かを確認する。処理制限機能が有効であることを確認したとき、制御部７は、カバー開閉検出器１４からの信号により、原稿カバー１３の開閉を検出する。原稿カバー１３が閉状態にあると、制御部７は、画像読取部２に読み取り動作を開始させる。
【００５２】
原稿カバー１３が開状態にあると、制御部７は、画像読取部２の動作を禁止する。すなわち、スタートキーが操作されても、その入力を受け付けない。このとき、警告音を発して、利用者に原稿カバー１３を閉じるように注意を促す。あるいは、表示部６１に、原稿カバー１３を閉じさせるためのメッセージを表示する。
【００５３】
利用者が原稿カバー１３を閉じ、再度スタートキーを操作すると、制御部７は、原稿カバー１３が閉状態にあることを確認する。そして、画像読取部２は、読み取り動作を開始する。
【００５４】
画像読取部２は、原稿の画像を読み取り、画像データを入力する。この読み取り動作中に、制御部７は、原稿カバー１３が閉状態であることを確認している。原稿カバー１３が開状態になったことが検出されると、制御部７は、画像読取部２の動作を停止させる。
【００５５】
原稿の画像が読み取られると、判断部６３は、入力された画像データの中に特定画像が含まれているかを検出する。特定画像が含まれていないとき、画像データに対する処理が行われる。すなわち、利用者の指示にしたがって、印刷、ファクシミリ通信、データ送信、記憶部４に保存といった、画像データに対する処理が行われる。
【００５６】
特定画像が含まれていたとき、制御部７は、画像データに対する処理を禁止する。そして、入力された画像データは一旦記憶部４に記憶されるので、制御部７は、特定画像を含む画像データを無効化する。
【００５７】
処理制限機能が無効であると、制御部７は、原稿カバー１３の開閉に関係なく、画像読取部２に読み取り動作を実行させる。そして、特定画像を検出することなく、利用者の指示にしたがった処理が行われる。
【００５８】
このように、処理制限機能が有効になっているとき、原稿カバー１３が閉じられたときにしか、原稿の画像の読み取り動作が行われない。すなわち、原稿は原稿カバー１３に覆われて、原稿台１２に密着した状態となり、画像読取部２は画像を正確に読み取ることができる。これによって、特定画像の検出精度が向上し、確実に処理を制限することができる。
【００５９】
そして、処理制限機能を無効にすれば、原稿カバー１３が開いていても、画像読取部２は読み取り動作可能となる。したがって、本のような厚みのある原稿の画像を読み取ることができ、利用者に不便をかけない。
【００６０】
処理制限機能の有効、無効の切り替えとして、操作キーから特有のキーコードを入力することにより、切り替えれるようにしてもよい。登録されていない利用者であっても、切り替えを行える。ただし、キーコードは定期的に変更したり、ワンタイムパスワードのように１度しか使えないようにして、処理制限機能の効果を維持させる。
【００６１】
原稿カバー１３の開閉を検出するために、カバー開閉検出器１４を設けているが、画像読取部２から入力される画像データに基づいて、原稿カバー１３の開閉を検出することができる。すなわち、図４に示すように、原稿台１２は原稿に比して大とされ、読み取り可能な最大サイズの原稿を載置したとしても、原稿台１２の全面が原稿によって覆われることはない。なお、図中、白い部分が原稿を示し、網目部分が露出している原稿台１２を示す。
【００６２】
原稿カバー１３が開状態のまま、画像読取部２が原稿の画像を読み取ると、原稿のない部分では、反射光がないため、黒い画像となる。そのため、黒画像の画像データが入力される。この黒画像の画像データが連続して、入力されたとき、制御部７は、原稿カバー１３が開状態にあると判断する。
【００６３】
この場合、スタートキーの操作により、画像読取部２は読み取り動作を行うが、すぐに原稿カバー１３の開状態が検出される。すると、画像読取部２は動作を停止する。
【００６４】
ここで、原稿カバー１３の開閉検出として、カバー開閉検出器１４と上記の画像の読み取りの２つの検出手段を併用してもよい。これによって、原稿カバー１３が開状態であるにもかかわらず、異物等の影響によってカバー開閉検出器１４が閉状態であると誤検出したとき、画像読取部２による画像の読み取りによって、原稿カバー１３の開状態を検出することができる。したがって、原稿カバー１３が閉じているときに、読み取り動作が行なわれ、特定画像の検出精度がよくなる。
【００６５】
なお、本発明は、上記実施形態に限定されるものではなく、本発明の範囲内で上記実施形態に多くの修正および変更を加え得ることは勿論である。上記の実施形態では、画像読取装置は画像処理装置に一体的に組み込まれているが、画像読取装置単体であっても、本発明を適用することができる。この場合、画像読取装置は、入力された画像データを記憶する記憶部と、画像データを出力するための通信部とを備える。
【図面の簡単な説明】
【００６６】
【図１】本発明の画像処理装置の制御ブロック図
【図２】画像処理装置の概略全体構成を示す図
【図３】原稿台に載置された原稿を読み取るときのフローチャート
【図４】原稿を原稿台に載置したときの状態を示す図
【符号の説明】
【００６７】
２    画像読取部
３    画像形成部
４    記憶部
５    通信部
６    操作パネル
７    制御部
１２    原稿台
１３    原稿カバー
１４    カバー開閉検出器
６３    判断部
【図１】
2008085732.tif 000003
【図２】
2008085732.tif 000004
【図３】
2008085732.tif 000005
【図４】
2008085732.tif 000006